(57)【要約】【課題】正確に給湯優先運転にするとともに、給湯量を減少させずに使い勝手の向上を図る。【解決手段】給湯用熱交換器７と、給湯の流量を検知する給湯用流量センサー２と、給湯出湯側に設け前記給湯用熱交換器７で加熱された湯を追焚回路に給湯する注湯電磁弁２１と、前記注湯電磁弁２１の下流に設けられた逆止弁２２とを備え、前記注湯電磁弁２１と前記逆止弁２２との間に前記追焚回路に供給する流量を検知する注湯用流量センサー２３を設け、前記給湯用流量センサー２と前記注湯用流量センサー２３との検知流量の差が所定の値より大きい場合、前記注湯用流量センサー２３の検知流量を前記給湯用流量センサー２の検知流量に合わせるよう補正する制御手段２４を設けている。【選択図】図１
2005147495.tif 000002
【特許請求の範囲】
【請求項１】
給湯用熱交換器と、給湯の流量を検知する給湯用流量センサーと、給湯出湯側に設け前記給湯用熱交換器で加熱された湯を追焚回路に給湯する注湯電磁弁と、前記注湯電磁弁の下流に設けられた逆止弁とを備え、前記注湯電磁弁と前記逆止弁との間に前記追焚回路に供給する流量を検知する注湯用流量センサーを設け、前記給湯用流量センサーと前記注湯用流量センサーとの検知流量の差が所定の値より大きい場合、前記注湯用流量センサーの検知流量を前記給湯用流量センサーの検知流量に合わせるよう補正する制御手段を備えた給湯風呂装置。
【請求項２】
給湯用熱交換器で加熱された湯を追焚回路に給湯する注湯電磁弁が開の状態で、浴槽にお湯はりするシーケンスの少なくとも２箇所以上で、給湯用流量センサーと注湯用流量センサーとの検知流量の差を比較し、前記シーケンス中で比較した各々の検知流量の差が所定の値より小さい場合、前記注湯用流量センサーの検知流量を前記給湯用流量センサーの検知流量に合わせるよう補正する制御手段を備えた請求項１記載の給湯風呂装置。
【請求項３】
注湯用流量センサーの検知流量が所定の流量以上の場合に、前記注湯用流量センサーの検知流量を給湯用流量センサーの検知流量に合わせるよう補正する制御手段を備えた請求項１記載の給湯風呂装置。
【請求項４】
注湯用流量センサーの検知流量が所定時間に所定の変化範囲の場合に、前記注湯用流量センサーの検知流量を給湯用流量センサーの検知流量に合わせるよう補正する制御手段を備えた請求項１記載の給湯風呂装置。
【請求項５】
給湯用流量センサーの検知流量が所定時間に所定の変化範囲の場合に、注湯用流量センサーの検知流量を前記給湯用流量センサーの検知流量に合わせるよう補正する制御手段を備えた請求項１記載の給湯風呂装置。
【発明の詳細な説明】
【技術分野】
【０００１】
本発明は、給湯用熱交換器で加熱された湯を追焚回路に給湯する注湯電磁弁を備えた給湯風呂装置に関するものである。
【背景技術】
【０００２】
従来、この種の給湯風呂装置は、給湯配管への通水を検知する給湯通水スイッチは給湯接続部の上流側に設けられている（例えば、特許文献１参照）。
【０００３】
図３を用いて従来の風呂給湯装置を説明する。給湯運転時には、給湯栓１を開くと給湯用流量センサー２が通水を検知した後、燃焼用ファン３が回転し、ガス元電磁弁４、ガス比例弁５が開き、バーナ６に着火し、給湯用熱交換器７で加熱される。
【０００４】
ここで、給湯用熱交換器７で加熱された湯は、給湯回路８の入水側に設けたバイパス制御弁９により、入水側の水と混合される。混合された湯は遠隔操作用リモコン１０で設定した給湯設定温度になるよう出湯サーミスター１１の信号によりバイパス制御弁９の開度を調整し、給湯通水スイッチ１２、給湯接続口１３を経て給湯栓１より給湯される。
【０００５】
次に追焚運転時には、循環ポンプ１４により浴槽１５の浴槽水１６は、追焚戻り通路１７を経て流水検知部１８にて循環を検知されると、燃焼用ファン３が回転し、ガス元電磁弁４、ガス比例弁５が開き、バーナ６に着火し、追焚用熱交換器１９で加熱され追焚往き通路２０から浴槽１５へ循環される。
【０００６】
次に、自動お湯はり運転時には、給湯用熱交換器７で加熱された湯は、注湯電磁弁２１が開き、逆止弁２２を経て追焚戻り通路１７から浴槽１５へ供給される。
【０００７】
ここで、自動お湯はり運転時に給湯が使用されたり、或いは給湯使用中に自動お湯はり運転が作動すると、給湯栓１から出湯する量が給湯単独使用と比較すると減少して使用勝手が悪くなるため、給湯接続口１３の上流に設けられた給湯通水スイッチ１２が通水を検知し、注湯電磁弁２１を閉じて給湯優先運転とする構成となっている。
【特許文献１】特公平２−２５４２３４号公報
【発明の開示】
【発明が解決しようとする課題】
【０００８】
しかしながら、前記従来の給湯風呂装置では、注湯電磁弁を閉じて給湯優先運転にしても、給湯通水スイッチ部の通水抵抗が大きいため、水圧の低い場所では給湯量が減少し、使用勝手が悪くなるという課題を有していた。
【０００９】
本発明は前記従来の課題を解決するもので、正確に給湯優先運転にするとともに、給湯量を減少させずに使用勝手を向上させる給湯風呂装置を提供することを目的とする。
【課題を解決するための手段】
【００１０】
前記従来の課題を解決するために本発明の給湯風呂装置は、注湯電磁弁と逆止弁との間に追焚回路に供給する流量を検知する注湯用流量センサーを設け、更に注湯用流量センサーの検知流量と給湯用流量センサーの検知流量の誤差を補正する制御手段を備えたものである。
【００１１】
これによって、注湯用流量センサーの検知流量と給湯用流量センサーの検知流量の誤差を補正するため、給湯用流量センサーと注湯用流量センサーの流量を正確に比較できることにより、誤作動を防止して給湯配管への通水の検知を正確に行い、また給湯配管部の通水抵抗を小さくすることができるため、水圧の低い場所で給湯量が少なくなるという課題を改善できるものである。
【発明の効果】
【００１２】
本発明の給湯風呂装置は、注湯電磁弁と逆止弁との間に追焚回路に供給する流量を検知する注湯用流量センサーを設け、注湯用流量センサーと給湯用流量センサーとの検知流量の誤差を補正するため、正確に給湯優先運転にするとともに、給湯量を減少させずに使用勝手を向上させることができる。
【発明を実施するための最良の形態】
【００１３】
第１の発明は、給湯用熱交換器と、給湯の流量を検知する給湯用流量センサーと、給湯出湯側に設け前記給湯用熱交換器で加熱された湯を追焚回路に給湯する注湯電磁弁と、前記注湯電磁弁の下流に設けられた逆止弁とを備え、前記注湯電磁弁と前記逆止弁との間に前記追焚回路に供給する流量を検知する注湯用流量センサーを設け、前記給湯用流量センサーと、前記注湯用流量センサーとの検知流量の差が所定の値より大きい場合、前記注湯用流量センサーの検知流量を前記給湯用流量センサーの検知流量に合わせるよう補正する制御手段を備えていることにより、給湯用流量センサーと注湯用流量センサーの検知流量の差を正確に比較でき、給湯配管への通水を正確に検知することができる。
【００１４】
第２の発明は、給湯用熱交換器で加熱された湯を追焚回路に給湯する注湯電磁弁が開の状態で浴槽にお湯はりするシーケンスの少なくとも２箇所以上で、給湯用流量センサーと注湯用流量センサーとの検知流量の差を比較し、前記シーケンス中で比較した各々の検知流量の差が、所定の値より小さい場合に前記注湯用流量センサーの検知流量を前記給湯用流量センサーの検知流量に合わせるよう補正する制御手段を備えていることにより、複数回の確認による信頼性の高い補正値を記憶することが可能となる。
【００１５】
第３の発明は、注湯用流量センサーの検知流量が、所定の流量以上の場合に、前記注湯用流量センサーの検知流量を給湯用流量センサーの検知流量に合わせるよう補正する制御手段を備えていることにより、補正値の誤差が大きくなることを防止することが可能となる。
【００１６】
第４の発明は、注湯用流量センサーの検知流量が、所定時間に所定の変化範囲の場合に、前記注湯用流量センサーの検知流量を給湯用流量センサーの検知流量に合わせるよう補正する制御手段を備えていることにより、流量が安定した状態で補正するため補正値の誤差が大きくなることを防止することが可能となる。
【００１７】
第５の発明は、給湯用流量センサーの検知流量が、所定時間に所定の変化範囲の場合に、注湯用流量センサーの検知流量を前記給湯用流量センサーの検知流量に合わせるよう補正する制御手段を備えていることにより、流量が安定した状態で補正するため補正値の誤差が大きくなることを防止することが可能となる。
【００１８】
以下、本発明の実施の形態について、図面を参照しながら説明する。なお、本実施の形態によって本発明が限定されるものではない。
【００１９】
（実施の形態１）
図１は、本発明の第１の形態における給湯風呂装置の構造図を示すものである。
【００２０】
図１において、給湯運転時には、給湯栓１を開くと給湯用流量センサー２が通水を検知した後、燃焼用ファン３が回転し、ガス元電磁弁４、ガス比例弁５が開き、バーナ６に着火し、給湯用熱交換器７で加熱される。
【００２１】
ここで、給湯用熱交換器７で加熱された湯は、給湯回路８の入水側に設けたバイパス制御弁９により、入水側の水と混合される。混合された湯は遠隔操作用リモコン１０で設定した給湯設定温度になるよう出湯サーミスター１１の信号によりバイパス制御弁９の開度を調整し、給湯接続口１３を経て給湯栓１より給湯される。
【００２２】
次に追焚運転時には、循環ポンプ１４により浴槽１５の浴槽水１６は、追焚戻り通路１７を経て流水検知部１８にて循環を検知されると、燃焼用ファン３が回転し、ガス元電磁弁４、ガス比例弁５が開き、バーナ６に着火し、追焚用熱交換器１９で加熱され追焚往き通路２０から浴槽１５へ循環される。
【００２３】
次に自動お湯はり運転時には、給湯用熱交換器７で加熱された湯は、注湯電磁弁２１が開き、逆止弁２２を経て追焚戻り通路１７から浴槽１５へ供給される。ここで、お湯はりの流量は注湯電磁弁２０の下流側に設けられた注湯用流量センサー２３により検知される構成となっている。
【００２４】
以上のように構成された給湯風呂装置について、以下その動作、作用を説明する。
【００２５】
通常、自動お湯はり運転時には、お湯はりの流量は注湯電磁弁２０の下流側に設けられた注湯用流量センサー２３により検知される。ここで、給湯栓１を開くと、給湯用熱交換器７で加熱された湯は、給湯接続口１３と注湯電磁弁２０へと分岐して供給される。
【００２６】
給湯接続口１３側への流量をＱｋ、注湯電磁弁２１側への流量をＱｃとすると、給湯用流量センサー２は、給湯接続口１３と注湯電磁弁２１へ供給される総流量Ｑｔを検知することとなる（Ｑｔ＝Ｑｋ+Ｑｃ）。従って、給湯用流量センサー２と注湯用流量センサー２３の検知する流量とを比較することにより、給湯配管への通水を検知することが可能となる。
【００２７】
ここで、注湯電磁弁２１が開の状態のとき、給湯用流量センサー２と注湯用流量センサー２３の流量を比較し、給湯用流量センサー２の検知流量Ｑｔが注湯用流量センサー２３の検知流量Ｑｃより所定の値Ｋ１より大きくなると（Ｑｔ−Ｑｃ≧Ｋ１）、注湯電磁弁２１を閉じる制御手段２４を備えているため、自動お湯はり運転は待機して、給湯優先運転となり給湯栓からの出湯量の減少による使用勝手の悪化を防止することが可能となる。
【００２８】
また、器具設置後の試運転時などに、自動お湯はり運転のみを行い、給湯用流量センサー２の検知流量Ｑｔと、注湯用流量センサー２３の検知流量Ｑｃの差ΔＱ（ΔＱ＝｜Ｑｔ−Ｑｃ｜）が所定の値Ｑ１より大きい場合（ΔＱ≧Ｑ１）、注湯用流量センサー２３の検知流量Ｑｃを給湯用流量センサー２の検知流量に合わせるよう（Ｑｃ＝Ｑｔ）補正して記憶する制御手段２４を備えているため流量センサー間の誤差はなくなり、給湯用流量センサー２と注湯用流量センサー２３の検知流量の差を正確に比較できることとなり、給湯配管への通水を正確に検知することが可能となる。
【００２９】
（実施の形態２）
図２は、本発明の第２の形態における給湯風呂装置の作動シーケンスを示すものである。
【００３０】
自動お湯はり運転時には、給湯用熱交換器７で加熱された湯は、注湯電磁弁２１が開き、追焚戻り通路１７から浴槽１５へ供給され、お湯はりの流量は注湯電磁弁２０の下流側に設けられた注湯用流量センサー２３により検知される構成となっている。図２において、自動お湯はり運転するシーケンスのＡ部で、給湯用流量センサー２と注湯用流量センサー２３との検知流量の差ΔＱＡ（ΔＱＡ＝｜Ｑｔ−Ｑｃ｜）と、Ｂ部で同じく給湯用流量センサー２と注湯用流量センサー２３との検知流量の差ΔＱＢ（ΔＱＢ＝｜Ｑｔ−Ｑｃ｜）を測定している。
【００３１】
ここで、各々の検知流量の差ΔＱＡとΔＱＢが、所定の値Ｑ２より小さい場合（｜ΔＱＡ−ΔＱＢ｜≦Ｑ２）注湯用流量センサー２３の検知流量を給湯用流量センサー２の検知流量に合わせるよう補正する制御手段２４を備えているため、複数回の確認による信頼性の高い補正値を記憶することが可能となる。
【００３２】
（実施の形態３）
本発明の第３の形態における給湯風呂装置は、注湯用流量センサー２３の検知流量Ｑｃが、所定の流量Ｋ２以上の場合に（Ｑｃ≧Ｋ２）、注湯用流量センサー２３の検知流量を給湯用流量センサー２の検知流量に合わせるよう補正する制御手段２４を備えており、低流量時には補正を行わないため補正値の誤差が大きくなることを防止することが可能となる。
【００３３】
（実施の形態４）
本発明の第４の形態における給湯風呂装置は、注湯用流量センサー２３の検知流量Ｑｃの変化幅（最大Ｑｃ−最小Ｑｃ）が、所定時間Ｔ１に所定の変化範囲Ｑ３の場合に（最大Ｑｃ−最小Ｑｃ≦Ｑ３）、注湯用流量センサー２３の検知流量を給湯用流量センサー２の検知流量に合わせるよう補正する制御手段２４を備えており、流量が安定した状態での値で補正するため補正値の誤差が大きくなることを防止することが可能となる。
【００３４】
（実施の形態５）
本発明の第５の形態における給湯風呂装置は、給湯用流量センサー２の検知流量Ｑｔの変化幅（最大Ｑｔ−最小Ｑｔ）が、所定時間Ｔ２に所定の変化範囲Ｑ４の場合に（最大Ｑｔ−最小Ｑｔ≦Ｑ４）、注湯用流量センサー２３の検知流量を給湯用流量センサー２の検知流量に合わせるよう補正する制御手段２４を備えており、流量が安定した状態での値で補正するため補正値の誤差が大きくなることを防止することが可能となる。
【産業上の利用可能性】
【００３５】
以上のように、本発明にかかる給湯風呂装置は、注湯電磁弁と逆止弁との間に追焚回路に供給する流量を検知する注湯用流量センサーを設け、注湯用流量センサーと給湯用流量センサーとの検知流量の誤差を補正するため、正確に給湯優先運転にするとともに、給湯量を減少させずに使用勝手を向上させることが可能となるので、ガス、石油、電気の給湯風呂装置、給湯暖房機等の用途にも適用できる。
【図面の簡単な説明】
【００３６】
【図１】本発明の実施の形態１における給湯風呂装置を示す構造図
【図２】本発明の実施の形態２における給湯風呂装置のシーケンス図
【図３】従来の給湯風呂装置を示す構造図
【符号の説明】
【００３７】
１  給湯栓
２  給湯用流量センサー
７  給湯用熱交換器
８  給湯回路
１０  遠隔操作用リモコン
１７  追焚戻り通路
２０  追焚往き通路
２１  注湯電磁弁
２２  逆止弁
２３  注湯用流量センサー
２４  制御手段
【図１】
2005147495.tif 000003
【図２】
2005147495.tif 000004
【図３】
2005147495.tif 000005